(57)【要約】【課題】  移動通信端末機のバッテリーの脱着時に静電気を除去することにより、メモリカードやＳＩＭカードなどの部品を装着時する場合に静電気により内部部品が破損されるか、又は、誤動作の発生することを未然に防止し得る移動通信端末機の静電気放電装置を提供する。【解決手段】  移動通信端末機の静電気放電装置は、本体ケーシングの内部にＰＣＢなどの部品が備えられた端末機本体と、端末機本体に脱着可能に結合されるバッテリー２００と、端末機本体の一方側に揺動自在に結合されてバッテリーを固定又は固定を解除するロック部材１５０と、バッテリー２００に備えられて静電気を放電させるグラウンドと、ロック部材に備えられた導電性接触板４００と、ロック部材を動かしてバッテリーの固定を解除するとき、導電性接触板とグラウンドの接続により導電性接触板４００に帯電する静電気をグラウンドに通電させるスイッチングパスとを含んで構成される。【選択図】  図２
2006074776.tif 000002
【特許請求の範囲】
【請求項１】
端末機本体に装着されるバッテリーを固定又は該固定状態を解除するロック部材と、
前記ロック部材に備えられる導電性接触板と、
静電気を放電するグラウンドと、
前記ロック部材を動かしてバッテリーの固定を解除するとき、前記導電性接触板とグラウンドとを接続して前記導電性接触板に印加される静電気を前記グラウンドに通電するスイッチングパスと、
を含むことを特徴とする移動通信端末機の静電気放電装置。
【請求項２】
前記グラウンドが、前記バッテリーに備えられることを特徴とする請求項１に記載の移動通信端末機の静電気放電装置。
【請求項３】
前記スイッチングパスが、
前記ロック部材に形成される第１端子と、
前記ロック部材の導電性接触板と前記第１端子とに接続される第１接続ラインと、
前記バッテリーの一方側に備えられ、前記ロック部材がバッテリーから離脱するときに前記第１端子と接触される第２端子と、
前記第２端子と前記バッテリーに備えられたグラウンドとを接続する第２接続ラインとを含むことを特徴とする請求項１に記載の移動通信端末機の静電気放電装置。
【請求項４】
前記導電性接触板が、使用者がバッテリーの固定を解除するときに接触される部分に備えられることを特徴とする請求項１に記載の移動通信端末機の静電気放電装置。
【請求項５】
前記バッテリーの一方側に所定深さを有して係止溝が形成され、前記ロック部材が前記バッテリーの係止溝に脱着可能に前記端末機本体に結合され、前記第１端子は前記係止溝に挿合されるロック部材の係止部に形成され、前記第２端子は前記係止溝の内側壁に形成されることを特徴とする請求項３に記載の移動通信端末機の静電気放電装置。
【請求項６】
前記グラウンドが、前記バッテリーの一方面にＥＭＩ塗料が塗布された薄膜により形成されたことを特徴とする請求項２に記載の移動通信端末機の静電気放電装置。
【請求項７】
前記グラウンドが、前記端末機本体に備えられることを特徴とする請求項１に記載の移動通信端末機の静電気放電装置。
【請求項８】
前記スイッチングパスが、
前記ロック部材の一方側に形成された第３端子と、前記ロック部材の導電性接触板と前記第３端子とを接続する第３接続ラインと、前記端末機本体に備えられて前記ロック部材によりバッテリーの固定が解除されるときに前記第３端子と接触する第４端子と、該第４端子と端末機本体のグラウンドとに接続される第４接続ラインとを含むことを特徴とする請求項１に記載の移動通信端末機の静電気放電装置。
【請求項９】
前記グラウンドが、端末機本体のＰＣＢに備えられることを特徴とする請求項７に記載の移動通信端末機の静電気放電装置。
【請求項１０】
前記グラウンドが、前記端末機本体のＰＣＢの一側にＥＭＩ塗料が塗布された薄膜により形成されることを特徴とする請求項７に記載の移動通信端末機の静電気放電装置。
【請求項１１】
前記スイッチングパスが、
前記端末機本体の一方側に形成されて表面にグラウンドが形成された段付面と、前記ロック部材の一方側に形成されてロック部材がバッテリーの固定を解除するとき、前記段付面に接触される第５端子と、前記ロック部材の導電性接触板と前記第５端子とを接続する第５接続ラインとを含むことを特徴とする請求項８に記載の移動通信端末機の静電気放電装置。
【請求項１２】
前記グラウンドが、前記段付面を含む端末機本体の本体ケーシングに備えられることを特徴とする請求項１１に記載の移動通信端末機の静電気放電装置。
【請求項１３】
前記グラウンドが、前記本体ケーシングの一方側にＥＭＩ塗料が塗布された薄膜で形成されることを特徴とする請求項１２に記載の移動通信端末機の静電気放電装置。
【発明の詳細な説明】
【技術分野】
【０００１】
本発明は、移動通信端末機に関し、特に、移動通信端末機のバッテリー脱着時に静電気を除去することにより、メモリカードやＳＩＭカードなどの部品の装着時に、静電気により内部部品の破損又は誤動作が発生することを防止し得る移動通信端末機の静電気放電装置に関する。
【背景技術】
【０００２】
一般の移動通信端末機は、使用者が手軽に携帯でき、どこでも相手との音声の送受信が可能な通信機器である。この移動通信端末機は、情報通信技術の発展に伴い、メール送受信機能、インターネット接続機能、テレビ受信機能だけでなく、カメラ機能により静止画像や動画像を撮影し、該撮影された静止画像や動画像を送受信する機能をも有するようになった。そして、この移動通信端末機の使用領域は持続的に拡大しつつある。
【０００３】
前記移動通信端末機は、外形構造によって、 折り畳み型移動通信端末機、フリップ型移動通信端末機、及びストレート型移動通信端末機など、その形態において多様である。
【０００４】
かつ、前記移動通信端末機には電源を供給するバッテリーが脱着可能に備えられ、前記バッテリーは、電源が完全に放電されると、端末機本体から分離して別途の充電器を利用して充電した後、再び端末機本体に装着して使用される。
【０００５】
また、端末機本体には外装メモリのためのメモリカード及びＳＩＭカードが備えられているが、それらメモリカード及びＳＩＭカードは、装着を容易にするためにバッテリーが装着される端末機本体の背面に装着される。
【０００６】
図６は、一般の移動通信端末機を分解して示す図であり、図７は、図６の移動通信端末機の一部を示す断面図である。
【０００７】
図示されたように、前記一般の移動通信端末機は、所定形状の端末機本体１００と、端末機本体１００の一方側に脱着可能に装着されて電源を供給するバッテリー２００とを含んで構成される。
【０００８】
また、端末機本体１００は、所定形状の本体ケーシングＣと、該本体ケーシングＣの内部に装着されるＰＣＢ１３０と、本体ケーシングＣの内部に装着されるキーパッド（図示せず）とを含む。
【０００９】
また、本体ケーシングＣは、前面ケース１１０と、該前面ケース１１０に結合される後面ケース１２０とから構成される。前記本体ケーシングＣにはバッテリー２００が装着されるバッテリー装着溝１２１が備えられ、該バッテリー装着溝１２１は後面ケース１２０に形成される。
【００１０】
バッテリー装着溝１２１の内部一方側には接続端子１４０が備えられ、該接続端子１４０は他の部品と接続される。また、バッテリー装着溝１２１の底面にメモリカードスロット１２２及びＳＩＭカードスロット１２３がそれぞれ形成される。
【００１１】
それらメモリカードスロット１２２及びＳＩＭカードスロット１２３にはそれぞれメモリカード３００とＳＩＭカード３１０とが装着され、それらメモリカード３００及びＳＩＭカード３１０は、端末機本体１００の内部に備えられたチップと信号ラインにより接続されることでデータ及び信号を送受信する。
【００１２】
また、バッテリー２００は、所定厚さ及び面積を有するように形成されたバッテリー本体２１０と、該バッテリー本体２１０の一方側に形成された接続端子２２０と、バッテリー本体２１０の他方側に形成された係止溝２３０とから構成される。
【００１３】
また、端末機本体１００の一方側には、バッテリー装着溝１２１に装着されるバッテリー２００を固定及び該固定を解除するバッテリーロック装置が備えられる。
【００１４】
該バッテリーロック装置は、バッテリー装着溝１２１の縁部に位置して、端末機本体１００の一方側内部に貫通して所定長さに形成されたガイド溝１２４と、所定形状に形成され、ガイド溝１２４に摺動可能に端末機本体１００に結合されたロック部材１５０と、端末機本体１００の内部に備えられてロック部材１５０をバッテリー装着溝１２１の方向に付勢するスプリング１６０とを含む。
【００１５】
また、ロック部材１５０は、所定形状を有してバッテリーの係止溝２３０に挿入される係止部１５１と、端末機本体１００のガイド溝１２４に摺動可能に貫通挿入される接触部１５２と、接触部１５２に段付きを有して延設されることによりスプリング１６０を支持するスプリング支持部１５３とを含んで構成されることにより、ロック部材１５０は、端末機本体１００に結合されてスプリング１６０により支持される。ここで、スプリング１６０は、ロック部材１５０のスプリング支持部１５３と端末機本体１００の一方側に形成された段付面との間に挿合される。
【００１６】
また、前記移動通信端末機は、端末機本体１００のバッテリー装着溝１２１にバッテリー２００を装着した後、ロック装置１５０により固定された状態で使用される。ここで、使用中にバッテリー２００の電源が完全に放電されると、前記ロック装置を解除してバッテリー２００を端末機本体１００から分離した後、バッテリー２００を充電する。
【００１７】
以下、バッテリー２００を端末機本体１００に装着する過程を説明する。
【００１８】
まず、端末機本体１００のロック装置のロック部材１５０を引っ張った状態でバッテリー２００を端末機本体１００のバッテリー装着溝１２１に装着すると、ロック部材１５０を付勢するスプリング１６０は圧縮された状態となる。次いで、ロック部材１５０を放すと、スプリング１６０の復原力によりロック部材１５０は元の位置に移動し、ロック部材１５０の係止部１５１がバッテリー２００の係止溝２３０に挿入されることによりバッテリー２００が固定される。
【００１９】
その後、バッテリー２００を端末機本体１００から分離するときは、ロック部材１５０を引っ張ってバッテリー２００の係止溝２３０からロック部材１５０の係止部１５１を脱離させた状態で、バッテリー２００を端末機本体１００のバッテリー装着溝１２１から分離する。ロック部材１５０を動かすときは、使用者がロック部材１５０の接触部１５２を引っ張る。
【００２０】
また、メモリカード３００及びＳＩＭカード３１０を端末機本体１００にそれぞれ装着するときは、バッテリー２００を端末機本体１００から分離した状態で、メモリカード３００及びＳＩＭカード３１０を端末機本体１００のバッテリー装着溝１２１の内面に備えられたメモリカードスロット１２２及びＳＩＭカードスロット１２３にそれぞれ装着する。
【００２１】
しかしながら、このような一般の移動通信端末機においては、端末機本体１００からバッテリー２００を分離してメモリカード３００及びＳＩＭカード３１０を端末機本体１００に装着するとき、それらカードと端末機本体１００との間又は使用者と端末機本体１００との間に電位差が発生する場合は、瞬間的に静電気が発生する。
【００２２】
その後、該静電気がメモリカード３００又はＳＩＭカード３１０を通じて端末機本体１００の内部のチップに通電されると、致命的なエラーが発生するので、これを防止するために、図８に示す静電気防止回路が示されている。前記静電気防止回路は、ＳＩＭカード３１０又はメモリカード３００と端末機本体１００のチップとを接続する信号ラインＬ１に静電気防止フィルタＦが連結され、該静電気防止フィルタＦは回路的にグラウンドに接地される。図８は、ＳＩＭカード３１０とチップを接続する信号ラインＬ１に静電気防止回路が備えられた状態が示され、未説明符号Ｌ２は、信号ラインがグラウンドに連結された状態を示す。
【００２３】
しかしながら、このような静電気防止回路は、静電気の遮断性能に限界があり、その遮断性能を向上させるために静電気防止フィルタの容量を増加すると、データ通信速度が速くなるにつれて静電気防止フィルタのキャパシタンスにより信号が撹乱されるという問題があった。特に、移動通信端末機の性能の向上により機能が多様化するほど、前記移動通信端末機は使用者により発生される静電気に非常に敏感になるため、静電気から移動通信端末機のハードウェア及びソフトウェアを保護することは非常に重要な問題となっている。
【発明の開示】
【発明が解決しようとする課題】
【００２４】
本発明は、このような問題を解決するために提案されたもので、本発明の目的は、移動通信端末機のバッテリーの脱着時に静電気を除去することにより、メモリカードやＳＩＭカードなどの部品を装着する場合に静電気が原因で内部の部品が破損するか、又は、誤動作が発生することを防止し得る移動通信端末機の静電気放電装置を提供することにある。
【課題を解決するための手段】
【００２５】
このような目的を達成するために、本発明に係る移動通信端末機の静電気放電装置は、端末機本体に装着されるバッテリーを固定するか、又は前記固定を解除するロック部材と、前記ロック部材に備えられる導電性接触板と、静電気を放電するグラウンドと、前記ロック部材を動かしてバッテリーの固定解除時に、前記導電性接触板とグラウンドとを接続して前記導電性接触板に印加される静電気を前記グラウンドに通電させるスイッチングパスと、を含んで構成されることを特徴とする。
【００２６】
上記目的を達成するために、本発明は、例えば、以下の手段を提供する。
（項目１）
端末機本体に装着されるバッテリーを固定又は該固定状態を解除するロック部材と、
前記ロック部材に備えられる導電性接触板と、
静電気を放電するグラウンドと、
前記ロック部材を動かしてバッテリーの固定を解除するとき、前記導電性接触板とグラウンドとを接続して前記導電性接触板に印加される静電気を前記グラウンドに通電するスイッチングパスと、
を含むことを特徴とする移動通信端末機の静電気放電装置。
（項目２）
前記グラウンドが、前記バッテリーに備えられることを特徴とする項目１に記載の移動通信端末機の静電気放電装置。
（項目３）
前記スイッチングパスが、
前記ロック部材に形成される第１端子と、
前記ロック部材の導電性接触板と前記第１端子とに接続される第１接続ラインと、
前記バッテリーの一方側に備えられ、前記ロック部材がバッテリーから離脱するときに前記第１端子と接触される第２端子と、
前記第２端子と前記バッテリーに備えられたグラウンドとを接続する第２接続ラインとを含むことを特徴とする項目１に記載の移動通信端末機の静電気放電装置。
（項目４）
前記導電性接触板が、使用者がバッテリーの固定を解除するときに接触される部分に備えられることを特徴とする項目１に記載の移動通信端末機の静電気放電装置。
（項目５）
前記バッテリーの一方側に所定深さを有して係止溝が形成され、前記ロック部材が前記バッテリーの係止溝に脱着可能に前記端末機本体に結合され、前記第１端子は前記係止溝に挿合されるロック部材の係止部に形成され、前記第２端子は前記係止溝の内側壁に形成されることを特徴とする項目３に記載の移動通信端末機の静電気放電装置。
（項目６）
前記グラウンドが、前記バッテリーの一方面にＥＭＩ塗料が塗布された薄膜により形成されたことを特徴とする項目２に記載の移動通信端末機の静電気放電装置。
（項目７）
前記グラウンドが、前記端末機本体に備えられることを特徴とする項目１に記載の移動通信端末機の静電気放電装置。
（項目８）
前記スイッチングパスが、
前記ロック部材の一方側に形成された第３端子と、前記ロック部材の導電性接触板と前記第３端子とを接続する第３接続ラインと、前記端末機本体に備えられて前記ロック部材によりバッテリーの固定が解除されるときに前記第３端子と接触する第４端子と、該第４端子と端末機本体のグラウンドとに接続される第４接続ラインとを含むことを特徴とする項目１に記載の移動通信端末機の静電気放電装置。
（項目９）
前記グラウンドが、端末機本体のＰＣＢに備えられることを特徴とする項目７に記載の移動通信端末機の静電気放電装置。
（項目１０）
前記グラウンドが、前記端末機本体のＰＣＢの一側にＥＭＩ塗料が塗布された薄膜により形成されることを特徴とする項目７に記載の移動通信端末機の静電気放電装置。
（項目１１）
前記スイッチングパスが、
前記端末機本体の一方側に形成されて表面にグラウンドが形成された段付面と、前記ロック部材の一方側に形成されてロック部材がバッテリーの固定を解除するとき、前記段付面に接触される第５端子と、前記ロック部材の導電性接触板と前記第５端子とを接続する第５接続ラインとを含むことを特徴とする項目８に記載の移動通信端末機の静電気放電装置。
（項目１２）
前記グラウンドが、前記段付面を含む端末機本体の本体ケーシングに備えられることを特徴とする項目１１に記載の移動通信端末機の静電気放電装置。
（項目１３）
前記グラウンドが、前記本体ケーシングの一方側にＥＭＩ塗料が塗布された薄膜で形成されることを特徴とする項目１２に記載の移動通信端末機の静電気放電装置。
【発明の効果】
【００２７】
本発明に係る移動通信端末機の静電気放電装置は、使用者により発生される静電気をバッテリーの分離時に放電させることにより、メモリカードやＳＩＭカードを端末機本体に装着するか又は端末機本体から分離する場合に前記メモリカードやＳＩＭカードを通じて前記静電気が端末機本体の内部部品に通電されることを防止することができる。従って、前記静電気により移動通信端末機のソフトウェア及びハードウェアが破損することを未然に防止し、製品の信頼性を向上し得るという効果がある。
【発明を実施するための最良の形態】
【００２８】
以下、本発明に係る移動通信端末機の静電気放電装置の実施形態について説明する。
【００２９】
図１は、本発明に係る移動通信端末機の静電気放電装置の一実施形態を示す斜視図であり、図２は、図１の一部を示す部分断面図である。従来と同一の部分には同一符号を付けた。
【００３０】
図示されたように、本発明に係る移動通信端末機の静電気防止装置の第１実施形態においては、所定形状の端末機本体１００と、端末機本体１００の一方側に脱着可能に結合されて電源を供給するバッテリー２００とを含んで構成される。
【００３１】
端末機本体１００は、所定形状の本体ケーシングＣと、該本体ケーシングＣの内部に装着されるＰＣＢ１３０と、本体ケーシングＣの内部に装着されるキーパッド（図示せず）とを含んで構成される。
【００３２】
また、本体ケーシングＣは、前面ケース１１０と、該前面ケース１１０と結合される後面ケース１２０とから構成される。本体ケーシングＣにはバッテリー２００が装着されるバッテリー装着溝１２１が備えられ、該バッテリー装着溝１２１は後面ケース１２０に形成される。
【００３３】
また、バッテリー装着溝１２１の内部一方側には接続端子１４０が備えられ、該接続端子１４０は他の部品と接続され、バッテリー装着溝１２１の底面にはメモリカードスロット１２２とＳＩＭカードスロット１２３とがそれぞれ形成される。
【００３４】
ここで、メモリカードスロット１２２とＳＩＭカードスロット１２３にはメモリカード３００とＳＩＭカード３１０とがそれぞれ装着される。メモリカード３００及びＳＩＭカード３１０は、端末機本体１００の内部に備えられたチップとデータ及び信号を送受信するために信号ラインにより接続される。
【００３５】
また、前記信号ラインに静電気防止回路が備えら、端末機本体１００の一方側にはバッテリー２００を固定又は固定を解除するためのバッテリーロック装置が備えられる。
【００３６】
また、前記バッテリーロック装置は、バッテリー装着溝１２１の縁部に位置されて、端末機本体１００の一方側内部に貫通形成されたガイド溝１２４と、該ガイド溝１２４にスライド可能に結合されたロック部材１５０と、端末機本体１００の内部に挿合してロック部材１５０をバッテリー装着溝１２１方向に付勢するスプリング１６０とを含んで構成される。
【００３７】
また、ロック部材１５０は、所定形状に突設されて後述バッテリーの係止溝２３０に挿入される係止部１５１と、端末機本体１００のガイド溝１２４にスライド可能に挿合される接触部１５２と、該接触部１５２に段付きを有して延設されてスプリング１６０を支持するスプリング支持部１５３とを含んで構成される。
【００３８】
また、バッテリー２００は、所定形状のバッテリー本体２１０と、該バッテリー本体２１０の下方側に備えられた接続端子２２０と、バッテリー本体２１０の上方側面に形成された係止溝２３０とを含から構成される。ここで、係止溝２３０は、バッテリー本体２１０の側面に所定面積及び深さを有するように形成される。
【００３９】
また、バッテリー２００は、端末機本体１００のバッテリー装着溝１２１に装着され、ロック部材１５０を動かすことにより、該ロック部材１５０の係止部１５１がバッテリー２００の係止溝２３０に挿入、又はバッテリー２００の係止溝２３０から取り外されるようになっている。
【００４０】
また、バッテリー２００には静電気を放電させるグラウンドＧ１が備えられ、該グラウンドＧ１は、バッテリー２００の一面にＥＭＩ塗料が塗布された薄膜で形成される。
【００４１】
また、ロック部材１５０には導電性接触板４００が備えられ、該導電性接触板４００は、使用者がバッテリー２００を固定又は解除するとき接触されるように接触部１５２に形成される。
【００４２】
また、ロック部材１５０を動かして端末機本体１００のバッテリー装着溝１２１に装着されたバッテリー２００の固定を解除するとき、導電性接触板４００とバッテリー２００間に備えられたグラウンドＧ１を接続することにより接触板４００に帯電される静電気をグラウンドＧ１に通電させるために、スイッチングパスが備えられる。
【００４３】
前記スイッチングパスは、ロック部材１５０に備えられた第１端子５００と、ロック部材１５０の導電性接触板４００と第１端子５００とをそれぞれ接続する第１接続ライン５１０と、バッテリー２００の一方側に備えられてロック部材１５０によりバッテリー２００の固定が解除されるときに第１端子５００と接触する第２端子５２０と、該第２端子５２０とバッテリー２００に備えられたグラウンドＧ１とを接続する第２接続ライン５３０とを含んで構成される。
【００４４】
ここで、第１端子５００は、ロック部材１５０の係止部１５１に形成され、第１接続ライン５１０は、ロック部材１５０の内部に形成される。
【００４５】
また、第２端子５２０は、前記バッテリー２００の係止溝２３０の内壁に形成される。ここで、ロック部材１５０の係止部１５１がバッテリー２００の係止溝２３０に挿入されることでロック部材１５０はバッテリー２００を固定させた状態で第２端子５２０と第１端子５００とが接触せず、ロック部材１５０の係止部１５１がバッテリー２００の係止溝２３０から脱離するときに、第１端子５００と第２端子５２０とが瞬間的に接触する。
【００４６】
以下、このように構成された本発明に係る移動通信端末機の静電気放電装置の動作を説明する。
【００４７】
バッテリー２００を端末機本体１００に装着する場合、使用者がロック装置のロック部材１５０を引っ張った状態でバッテリー２００をバッテリー装着溝１２１に装着した後、ロック部材１５０を放すと、スプリング１６０の復原力によりロック部材１５０の係止部１５１がバッテリー２００の係止溝２３０に挿入されることによりバッテリー２００が固定される。
【００４８】
次いで、バッテリー２００を端末機本体１００から分離する場合は、使用者が前記ロック装置のロック部材１５０を引っ張ることによりロック部材１５０の係止部１５１をバッテリーの係止溝２３０から脱離させると、バッテリー２００は端末機本体１００のバッテリー装着溝１２１から分離される。
【００４９】
一方、端末機本体１００のバッテリー装着溝１２１の内部に備えられたメモリカードスロット１２２及びＳＩＭカードスロット１２３にメモリカード３００及びＳＩＭカード３１０をそれぞれ装着するか、又はそのメモリカード３００及びＳＩＭカード３１０を分離する場合、バッテリー２００を端末機本体１００から分離した状態でメモリカード３００及びＳＩＭカード３１０をそれぞれ装着又は分離させる。
【００５０】
すると、メモリカード３００やＳＩＭカード３１０が端末機本体１００に装着又は端末機本体１００から分離される前に、使用者により発生された静電気はバッテリー２００の分離過程でロック部材１５０に備えられた導電性接触板４００、スイッチングパス、バッテリーに備えられたグラウンドＧ１により放電される。
【００５１】
以下、前記静電気が放電される過程をより詳しく説明する。
【００５２】
図３に示すように、使用者がバッテリー２００を分離するためにロック部材１５０を引っ張ると、ロック部材１５０の係止部１５１がバッテリーの係止溝２３０から脱離されて、係止部１５１の第１端子５００と係止溝２３０の第２端子５２０とが瞬間的に接触する。次いで、第１端子５００と第２端子５２０が接触すると、使用者により発生された静電気は導電性接触板４００、第１接続ライン５１０、第２接続ライン５３０を通じてバッテリー２００に備えられたグラウンドＧ１に通電され、該グラウンドＧ１に通電された静電気はグラウンドＧ１から放電されるため、端末機本体１００のチップやその他の部品に静電気が通電されない。
【００５３】
このようにバッテリー２００を分離する過程で静電気が放電されるため、バッテリー２００を端末機本体１００から分離した後、メモリカード３００やＳＩＭカード３１０を装着又は分離する過程で、メモリカード３００やＳＩＭカード３１０を通じて端末機本体１００の内部部品に静電気が通電されることを防止し得る。また、メモリカード３００やＳＩＭカード３１０を端末機本体１００に装着又は端末機本体１００から分離するとき、静電気の一部が残っていると、その静電気は、静電気防止回路により放電されるため、メモリカード３００やＳＩＭカード３１０を通じて端末機本体１００の内部部品に通電されない。
【００５４】
一方、ロック部材１５０の係止部１５１がバッテリー２００の係止溝２３０に挿入されている状態で係止部１５１の第１端子５００と係止溝２３０の第２端子５２０とは接触しない。
【００５５】
図４は、本発明に係る移動通信端末機の静電気放電装置の他の実施形態を示す部分断面図であり、前述の実施形態と同一の部分には同一符号を付けた。
【００５６】
図示されたように、前記移動通信端末機の静電気放電装置の他の実施形態としては、端末機本体１００の一方側に揺動可能に結合されてバッテリー２００を固定又は解除させるロック部材１５０と、端末機本体１００に備えられて静電気を放電させるグラウンドＧ２と、ロック部材１５０に備えられる導電性接触板４００と、ロック部材１５０を揺動してバッテリー２００の固定を解除するとき、接触板４００に帯電される静電気を端末機本体１００のグラウンドＧ２に通電させるために導電性接触板４００と端末機本体１００のグラウンドＧ２とを接続させるスイッチングパスとを含んで構成することもできる。
【００５７】
ここで、端末機本体１００は、所定形状の本体ケーシングＣと、該本体ケーシングＣの内部に装着されたＰＣＢ１３０と、本体ケーシングＣの内部に装着されたキーパッド（図示せず）とを含んで構成され、本体ケーシングＣは、前面ケース１１０と、前面ケース１１０に結合される後面ケース１２０とから構成される。かつ、後面ケース１２０にはバッテリー装着溝１２１が形成され、バッテリー装着溝１２１にはバッテリー２００が装着される。
【００５８】
グラウンドＧ２は、端末機本体１００のＰＣＢ１３０に備えられ、グラウンドＧ２は、ＰＣＢ１３０の一方側に所定の面積を有してＥＭＩ塗料が塗布された薄膜により形成される。
【００５９】
また、前記スイッチングパスは、ロック部材１５０の一方側に形成される第３端子５４０と、ロック部材１５０の導電性接触板４００と第３端子５４０とを接続する第３接続ライン５５０と、端末機本体１００のＰＣＢ１３０に備えられてロック部材１５０によりバッテリー２００の固定が解除されるときに第３端子５４０と接触する第４端子５６０と、該第４端子５６０とＰＣＢ１３０のグラウンドＧ２を接続する第４接続ライン５７０とから構成される。
【００６０】
また、導電性接触板４００は、ロック部材１５０の接触部１５２に備えられ、第３端子５４０は、接触板４００の反対側のロック部材１５０に形成される。第３接続ライン５５０は、ロック部材１５０の内部に形成される。
【００６１】
また、第４端子５６０は、ＰＣＢ１３０に備えられ、ロック部材１５０の係止部１５１がバッテリー２００の係止溝２３０から取り外すときに第３端子５４０と瞬間的接触可能な位置に形成される。ロック部材１５０の係止部１５１がバッテリー２００の係止溝２３０に挿合されてバッテリー２００を固定させるとき、ロック部材１５０に備えられた第３端子５４０とＰＣＢ１３０に備えられた第４端子５６０は接触されない。
【００６２】
一方、グラウンドＧ２は、端末機本体１００の本体ケーシングＣに備えることもできる。グラウンドＧ２を本体ケーシングＣに備える場合、図５に示すように、前記スイッチングパスは、ロック部材１５０の一方側に形成される第５端子５８０と、ロック部材１５０の導電性接触板４００と第５端子５８０とを接続する第５接続ライン５９０とから構成される。また、本体ケーシングＣの一方側の第５端子５８０に対向する部位に段付面１２６を形成し、本体ケーシングＣに段付面１２６を有するグラウンドＧ２を形成する。段付面１２６は、本体ケーシングＣの後面ケース１２０に形成され、ロック部材１５０を引っ張るとき、該ロック部材１５０に備えられた第５端子５８０が段付面１２６に接触される。
【００６３】
ここで、グラウンドＧ２は、本体ケーシングＣを構成する後面ケース１２０にＥＭＩ塗料の塗布された薄膜に形成される。もちろん、段付面１２６にも薄膜が形成される。
【００６４】
以下、このように構成された本発明に係る移動通信端末機の静電気放電装置の他の実施形態の動作を説明する。
【００６５】
使用者が端末機本体１００からバッテリー２００を分離するためにロック部材１５０を引っ張ると、ロック部材１５０の係止部１５１がバッテリー２００の係止溝２３０から取り外すと同時に、ロック部材１５０に形成された第３端子５４０とＰＣＢ１３０に形成された第４端子５６０とが瞬間的に接触する。次いで、第３端子５４０と第４端子５６０が接触すると、使用者により発生した静電気が導電性接触板４００、第３接続ライン５５０、及び第４接続ライン５７０をそれぞれ通じて端末機本体１００のＰＣＢ１３０に備えられたグラウンドＧ２に通電される。次いで、ＰＣＢ１３０のグラウンドＧ２に通電された静電気は、グラウンドＧ２から放電されるため、端末機本体１００のチップやその他の部品に通電されない。
【００６６】
このようにバッテリー２００を分離する過程で静電気が放電されるため、バッテリー２００を端末機本体１００から分離した後、メモリカード３００やＳＩＭカード３１０を装着又は分離する過程で、メモリカード３００やＳＩＭカード３１０を通じて端末機本体１００の内部部品に静電気が通電されることを防止することができる。また、メモリカード３００やＳＩＭカード３１０を端末機本体１００に装着するか、又は端末機本体１００から分離するとき、静電気の一部が残っていると、その静電気は、静電気防止回路により放電されるため、メモリカード３００やＳＩＭカード３１０を通じて端末機本体１００の内部部品に静電気は通電されない。
【００６７】
また、ロック部材１５０の係止部１５１がバッテリー２００の係止溝２３０に挿入されている状態で、ロック部材１５０に形成された第３端子５４０とＰＣＢ１３０に形成された第４端子５６０とは接触しない。
【００６８】
また、グラウンドＧ２が端末機本体１００の本体ケーシングＣに備えられた場合、使用者がバッテリー２００を端末機本体１００から分離するためにロック部材１５０を引っ張ると、ロック部材１５０の係止部１５１はバッテリー２００の係止溝２３０から取り外すと同時に、ロック部材１５０に形成された第５端子５８０が後面ケース１２０の段付面１２６のグラウンドＧ２に接触される。次いで、第５端子５８０とグラウンドＧ２が接触すると、使用者により発生された静電気が導電性接触板４００と第５接続ライン５９０とを通じて端末機本体１００の本体ケーシングＣに備えられたグラウンドＧ２に通電されるが、本体ケーシングＣのグラウンドＧ２に通電された静電気は、グラウンドＧ２から放電されるため、端末機本体１００のチップやその他の部品には通電されない。
【００６９】
ここで、ロック部材１５０の係止部１５１がバッテリー２００の係止溝２３０に挿入されている状態で、ロック部材１５０の第５端子５８０と本体ケーシングＣのグラウンドＧ２とは接触されない。
【００７０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００７１】
移動通信端末機のバッテリーの脱着時に静電気を除去することにより、メモリカードやＳＩＭカードなどの部品を装着時する場合に静電気により内部部品が破損されるか、又は、誤動作の発生することを未然に防止し得る移動通信端末機の静電気放電装置を提供する。
【００７２】
移動通信端末機の静電気放電装置は、本体ケーシングの内部にＰＣＢなどの部品が備えられた端末機本体と、該端末機本体に脱着可能に結合されるバッテリー２００と、前記端末機本体の一方側に揺動自在に結合されて前記バッテリーを固定又は該固定を解除するロック部材１５０と、前記バッテリー２００に備えられて静電気を放電させるグラウンドと、前記ロック部材に備えられた導電性接触板４００と、前記ロック部材を動かしてバッテリーの固定を解除するとき、前記導電性接触板とグラウンドの接続により前記導電性接触板４００に帯電する静電気を前記グラウンドに通電させるスイッチングパスとを、含んで構成される。
【図面の簡単な説明】
【００７３】
【図１】本発明に係る移動通信端末機の静電気放電装置の一実施形態を示す概略分解斜視図である。
【図２】図１の部分断面図である。
【図３】図１の動作を説明するための部分断面図である。
【図４】本発明に係る移動通信端末機の静電気放電装置の他の実施形態を示す部分断面図である。
【図５】図４実施形態を示す部分断面図である。
【図６】一般の移動通信端末機を分解して示す斜視図である。
【図７】図６の部分断面図である。
【図８】図６の静電気防止回路を示すブロック図である。
【符号の説明】
【００７４】
１００：端末機本体
１２６：段付面
１３０：ＰＣＢ
１５０：ロック部材
１５１：係止部
２００：バッテリー
２３０：係止溝
４００：導電性接触板
５００：第１端子
５１０：第１接続ライン
５２０：第２端子
５３０：第２接続ライン
５４０：第３端子
５５０：第３接続ライン
５６０：第４端子
５７０; 第４接続ライン
５８０：第５端子
５９０：第５接続ライン
【図１】
2006074776.tif 000003
【図２】
2006074776.tif 000004
【図３】
2006074776.tif 000005
【図４】
2006074776.tif 000006
【図５】
2006074776.tif 000007
【図６】
2006074776.tif 000008
【図７】
2006074776.tif 000009
【図８】
2006074776.tif 000010